(57)【要約】  本願は無線通信方法、ネットワーク機器及び端末装置を提供し、ネットワーク機器は指示メッセージを第１端末装置に送信し、適切なページング時刻に第２端末装置のページングメッセージを監視するように第１端末装置に指示し、それによって、ネットワーク機器は第２端末装置のページングメッセージのターゲットを正確に送信することができ、第２端末装置のダウンリンクデータの正確な伝送を確保する。該方法は、ネットワーク機器は、指示メッセージを該第１端末装置に送信し、該指示メッセージが、該第１端末装置のページング時刻に第２端末装置のページングメッセージを監視し又は該第２端末装置のページング時刻に該第２端末装置のページングメッセージを監視するように該第１端末装置に指示することに用いられ、該第２端末装置が該第１端末装置によって該ネットワーク機器と通信することを含む。
2020518183.tif 000002
【特許請求の範囲】
【請求項１】
無線通信方法であって、
ネットワーク機器は、指示メッセージを前記第１端末装置に送信し、前記指示メッセージが、前記第１端末装置のページング時刻に第２端末装置のページングメッセージを監視し又は前記第２端末装置のページング時刻に前記第２端末装置のページングメッセージを監視するように前記第１端末装置に指示することに用いられ、前記第２端末装置が前記第１端末装置によって前記ネットワーク機器と通信することを含むことを特徴とする、前記無線通信方法。
【請求項２】
前記ネットワーク機器が前記第１端末装置へ前記指示メッセージを送信する前に、前記方法は、更に、
前記ネットワーク機器は、前記第１端末装置のページング時刻に前記第２端末装置のページングメッセージを送信することを確定することを含み、
前記ネットワーク機器が第１端末装置へ指示メッセージを送信することは、
前記ネットワーク機器は、前記第１端末装置のページング時刻に前記第２端末装置のページングメッセージを監視するように前記第１端末装置に指示するための前記指示メッセージを前記第１端末装置に送信することを含むことを特徴とする
請求項１に記載の方法。
【請求項３】
前記ネットワーク機器が前記第１端末装置へ前記指示メッセージを送信する前に、前記方法は、更に、
前記ネットワーク機器は、前記第２端末装置のページング時刻に前記第２端末装置のページングメッセージを送信することを確定することを含み、
前記ネットワーク機器が第１端末装置へ指示メッセージを送信することは、
前記ネットワーク機器は、前記第２端末装置のページング時刻に前記第２端末装置のページングメッセージを監視するように前記第１端末装置に指示するための前記指示メッセージを前記第１端末装置に送信することを含むことを特徴とする
請求項１に記載の方法。
【請求項４】
前記第２端末装置のページングメッセージは、前記第１端末装置のページングメッセージに搬送されることを特徴とする
請求項１〜３のいずれか１項に記載の方法。
【請求項５】
前記指示メッセージは、システムメッセージ又は無線リソース制御（ＲＲＣ）専用シグナリングであることを特徴とする
請求項１〜４のいずれか１項に記載の方法。
【請求項６】
無線通信方法であって、
ネットワーク機器は第１端末装置から、前記第１端末装置と第２端末装置との間のリンク状態情報を更新するように前記ネットワーク機器に要求するための状態更新メッセージを受信し、前記第２端末装置が前記第１端末装置によって前記ネットワーク機器と通信することを含むことを特徴とする、前記無線通信方法。
【請求項７】
前記方法は、更に、
前記ネットワーク機器は、前記第１端末装置へ前記状態更新メッセージに対する応答メッセージを送信することと、
前記ネットワーク機器は、前記応答メッセージに基づき、前記第１端末装置のページング時刻に前記第２端末装置のページングメッセージを送信し、又は前記第２端末装置のページング時刻に前記第２端末装置のページングメッセージを送信することと、を含むことを特徴とする
請求項６に記載の方法。
【請求項８】
前記ネットワーク機器が、前記第１端末装置へ前記状態更新メッセージに対する応答メッセージを送信することは、
前記ネットワーク機器は、前記第１端末装置へ前記第１端末装置と前記第２端末装置との間のリンク状態情報の更新に成功した応答メッセージを送信し、又は
前記ネットワーク機器は、前記第１端末装置へ前記第１端末装置と前記第２端末装置との間のリンク状態情報の更新に失敗した応答メッセージを送信し、又は
前記ネットワーク機器は、前記第１端末装置へ前記第１端末装置と前記第２端末装置との間のリンク状態情報の更新を拒絶する応答メッセージを送信することを含むことを特徴とする
請求項７に記載の方法。
【請求項９】
前記ネットワーク機器が、前記応答メッセージに基づき、前記第１端末装置のページング時刻に前記第２端末装置のページングメッセージを送信し、又は前記第２端末装置のページング時刻に前記第２端末装置のページングメッセージを送信することは、
前記応答メッセージが前記第１端末装置と前記第２端末装置との間のリンク状態情報の更新に失敗した応答メッセージを含む場合、前記ネットワーク機器は、前記第２端末装置のページング時刻に前記第２端末装置のページングメッセージを送信し、又は
前記応答メッセージが前記第１端末装置と前記第２端末装置との間のリンク状態情報の更新を拒絶する応答メッセージを含む場合、前記ネットワーク機器は、前記第２端末装置のページング時刻に前記第２端末装置のページングメッセージを送信し、又は
前記応答メッセージが前記第１端末装置と前記第２端末装置との間のリンク状態情報の更新に成功した応答メッセージを含む場合、前記ネットワーク機器は、前記第１端末装置のページング時刻に前記第２端末装置のページングメッセージを送信することを含むことを特徴とする
請求項８に記載の方法。
【請求項１０】
前記第１端末装置と前記第２端末装置との間のリンク状態情報の更新に失敗した前記応答メッセージが無線リソース制御（ＲＲＣ）接続解放メッセージであり、前記ＲＲＣ接続解放メッセージが接続失敗指示メッセージを含み、
前記第１端末装置と前記第２端末装置との間のリンク状態情報の更新を拒絶した前記応答メッセージがＲＲＣ接続拒絶メッセージであり、
前記第１端末装置と前記第２端末装置との間のリンク状態情報の更新に成功した前記応答メッセージがＲＲＣ接続構成メッセージであることを特徴とする
請求項８又は９に記載の方法。
【請求項１１】
無線通信方法であって、
第１端末装置はネットワーク機器から指示メッセージを受信し、前記指示メッセージが、第２端末装置のページング時刻に前記第２端末装置のページングメッセージを監視し又は前記第１端末装置のページング時刻に前記第２端末装置のページングメッセージを監視するように前記第１端末装置に指示することに用いられ、前記第２端末装置が前記第１端末装置によって前記ネットワーク機器と通信することと、
前記第１端末装置は、前記指示メッセージに基づいて前記第２端末装置のページングメッセージを監視することと、を含むことを特徴とする、前記無線通信方法。
【請求項１２】
前記方法は、更に、
前記第２端末装置のページングメッセージを検知した後、前記第１端末装置は、前記第２端末装置へ前記第２端末装置のページングメッセージを送信することを含むことを特徴とする
請求項１１に記載の方法。
【請求項１３】
前記第２端末装置のページングメッセージは、前記第１端末装置のページングメッセージに搬送されることを特徴とする
請求項１１又は１２に記載の方法。
【請求項１４】
前記指示メッセージは、システムメッセージ又は無線リソース制御（ＲＲＣ）専用シグナリングであることを特徴とする
請求項１１〜１３のいずれか１項に記載の方法。
【請求項１５】
無線通信方法であって、
第１端末装置は、前記第１端末装置と第２端末装置とのリンク状態情報を更新するための状態更新メッセージをネットワーク機器に送信し、前記第２端末装置が前記第１端末装置によって前記ネットワーク機器と通信することを含むことを特徴とする、前記無線通信方法。
【請求項１６】
前記方法は、更に、
前記第１端末装置が前記ネットワーク機器から前記状態更新メッセージに対する応答メッセージを受信することと、
前記第１端末装置は、前記応答メッセージに基づき、前記第２端末装置のページング時刻に前記第２端末装置のページングメッセージを監視し、又は前記第１端末装置のページング時刻に前記第２端末装置のページングメッセージを監視することと、を含むことを特徴とする
請求項１５に記載の方法。
【請求項１７】
前記第１端末装置が前記応答メッセージに基づき、前記第２端末装置のページング時刻に前記第２端末装置のページングメッセージを監視し、又は前記第１端末装置のページング時刻に前記第２端末装置のページングメッセージを監視することは、
前記応答メッセージがＲＲＣ接続解放メッセージを含み、且つ前記ＲＲＣ接続解放メッセージが接続失敗指示メッセージを含む場合、前記第１端末装置は、前記第２端末装置のページング時刻に前記第２端末装置のページングメッセージを監視し、又は
前記応答メッセージがＲＲＣ接続拒絶メッセージを含む場合、前記第１端末装置は、前記第２端末装置のページング時刻に前記第２端末装置のページングメッセージを監視し、又は
前記応答メッセージがＲＲＣ接続構成メッセージを含む場合、前記第１端末装置は、前記第１端末装置のページング時刻に前記第２端末装置のページングメッセージを監視することを含むことを特徴とする
請求項１６に記載の方法。
【請求項１８】
前記応答メッセージが前記ＲＲＣ接続解放メッセージ又は前記ＲＲＣ接続拒絶メッセージを含む場合、前記方法は、更に、
前記第１端末装置と前記第２端末装置とのリンク接続が中断される場合、前記第１端末装置は、再び前記ネットワーク機器へ前記状態更新メッセージを送信する必要がないことを確定することを含むことを特徴とする
請求項１７に記載の方法。
【請求項１９】
前記方法は、更に、
前記第２端末装置のページングメッセージを検知した後、前記第１端末装置は、前記第２端末装置へ前記第２端末装置のページングメッセージを送信することを含むことを特徴とする
請求項１６〜１８のいずれか１項に記載の方法。
【請求項２０】
ネットワーク機器であって、
指示メッセージを前記第１端末装置に送信することに用いられ、前記指示メッセージが、前記第１端末装置のページング時刻に第２端末装置のページングメッセージを監視し又は前記第２端末装置のページング時刻に前記第２端末装置のページングメッセージを監視するように前記第１端末装置に指示することに用いられ、前記第２端末装置が前記第１端末装置によって前記ネットワーク機器と通信する送信モジュールを備えることを特徴とする、前記ネットワーク機器。
【請求項２１】
前記送信モジュールが前記第１端末装置へ前記指示メッセージを送信する前に、前記ネットワーク機器は、更に、
前記第１端末装置のページング時刻に前記第２端末装置のページングメッセージを送信することを確定するための確定モジュールを備え、
前記送信モジュールは、更に、前記第１端末装置のページング時刻に前記第２端末装置のページングメッセージを監視するように前記第１端末装置に指示するための前記指示メッセージを前記第１端末装置に送信することに用いられることを特徴とする
請求項２０に記載のネットワーク機器。
【請求項２２】
前記送信モジュールが前記第１端末装置へ前記指示メッセージを送信する前に、前記確定モジュールは、更に、前記第２端末装置のページング時刻に前記第２端末装置のページングメッセージを送信することを確定することに用いられ、
前記送信モジュールは、更に、前記第２端末装置のページング時刻に前記第２端末装置のページングメッセージを監視するように前記第１端末装置に指示するための前記指示メッセージを前記第１端末装置に送信することに用いられることを特徴とする
請求項２０に記載のネットワーク機器。
【請求項２３】
前記第２端末装置のページングメッセージは、前記第１端末装置のページングメッセージに搬送されることを特徴とする
請求項２０〜２２のいずれか１項に記載のネットワーク機器。
【請求項２４】
前記指示メッセージは、システムメッセージ又は無線リソース制御（ＲＲＣ）専用シグナリングであることを特徴とする
請求項２０〜２３のいずれか１項に記載のネットワーク機器。
【請求項２５】
ネットワーク機器であって、
第１端末装置から、前記第１端末装置と第２端末装置との間のリンク状態情報を更新するように前記ネットワーク機器に要求するための状態更新メッセージを受信することに用いられ、前記第２端末装置が前記第１端末装置によって前記ネットワーク機器と通信する受信モジュールを備えることを特徴とする、前記ネットワーク機器。
【請求項２６】
前記ネットワーク機器は、更に、
前記第１端末装置へ前記状態更新メッセージに対する応答メッセージを送信するための送信モジュールを備え、
前記送信モジュールは、更に、前記応答メッセージに基づき、前記第１端末装置のページング時刻に前記第２端末装置のページングメッセージを送信し、又は前記第２端末装置のページング時刻に前記第２端末装置のページングメッセージを送信することに用いられることを特徴とする
請求項２５に記載のネットワーク機器。
【請求項２７】
前記送信モジュールは、更に、前記第１端末装置へ前記第１端末装置と前記第２端末装置との間のリンク状態情報の更新に成功した応答メッセージを送信することに用いられ、又は
前記送信モジュールは、更に、前記第１端末装置へ前記第１端末装置と前記第２端末装置との間のリンク状態情報の更新に失敗した応答メッセージを送信することに用いられ、又は
前記送信モジュールは、更に、前記第１端末装置へ前記第１端末装置と前記第２端末装置との間のリンク状態情報の更新を拒絶する応答メッセージを送信することに用いられることを特徴とする
請求項２６に記載のネットワーク機器。
【請求項２８】
前記送信モジュールは、更に、前記応答メッセージが前記第１端末装置と前記第２端末装置との間のリンク状態情報の更新に失敗した応答メッセージを含む場合、前記第２端末装置のページング時刻に前記第２端末装置のページングメッセージを送信することに用いられ、又は
前記送信モジュールは、更に、前記応答メッセージが前記第１端末装置と前記第２端末装置との間のリンク状態情報の更新を拒絶する応答メッセージを含む場合、前記第２端末装置のページング時刻に前記第２端末装置のページングメッセージを送信することに用いられ、又は
前記送信モジュールは、更に、前記応答メッセージが前記第１端末装置と前記第２端末装置との間のリンク状態情報の更新に成功した応答メッセージを含む場合、前記第１端末装置のページング時刻に前記第２端末装置のページングメッセージを送信することに用いられることを特徴とする
請求項２７に記載のネットワーク機器。
【請求項２９】
前記第１端末装置と前記第２端末装置との間のリンク状態情報の更新に失敗した前記応答メッセージが無線リソース制御（ＲＲＣ）接続解放メッセージであり、前記ＲＲＣ接続解放メッセージが接続失敗指示メッセージを含み、
前記第１端末装置と前記第２端末装置との間のリンク状態情報の更新を拒絶した前記応答メッセージがＲＲＣ接続拒絶メッセージであり、
前記第１端末装置と前記第２端末装置との間のリンク状態情報の更新に成功した前記応答メッセージがＲＲＣ接続構成メッセージであることを特徴とする
請求項２７又は２８に記載のネットワーク機器。
【請求項３０】
端末装置であって、
ネットワーク機器から指示メッセージを受信することに用いられ、前記指示メッセージが、第２端末装置のページング時刻に前記第２端末装置のページングメッセージを監視し又は前記第１端末装置のページング時刻に前記第２端末装置のページングメッセージを監視するように前記第１端末装置に指示することに用いられ、前記第２端末装置が前記第１端末装置によって前記ネットワーク機器と通信する受信モジュールを備え、
前記受信モジュールは、更に、前記指示メッセージに基づいて前記第２端末装置のページングメッセージを監視することに用いられることを特徴とする、前記端末装置。
【請求項３１】
前記端末装置は、更に、
前記受信モジュールが前記第２端末装置のページングメッセージを検知した後、前記第２端末装置へ前記第２端末装置のページングメッセージを送信するための送信モジュールを備えることを特徴とする
請求項３０に記載の端末装置。
【請求項３２】
前記第２端末装置のページングメッセージは、前記第１端末装置のページングメッセージに搬送されることを特徴とする
請求項３０又は３１に記載の端末装置。
【請求項３３】
前記指示メッセージは、システムメッセージ又は無線リソース制御（ＲＲＣ）専用シグナリングであることを特徴とする
請求項３０〜３２のいずれか１項に記載の端末装置。
【請求項３４】
端末装置であって、
前記第１端末装置と第２端末装置とのリンク状態情報を更新するための状態更新メッセージをネットワーク機器に送信することに用いられ、前記第２端末装置が前記第１端末装置によって前記ネットワーク機器と通信する送信モジュールを備えることを特徴とする、前記端末装置。
【請求項３５】
前記端末装置は、更に、
前記ネットワーク機器から前記状態更新メッセージに対する応答メッセージを受信するための受信モジュールを備え、
前記受信モジュールは、更に、前記応答メッセージに基づき、前記第２端末装置のページング時刻に前記第２端末装置のページングメッセージを監視し、又は前記第１端末装置のページング時刻に前記第２端末装置のページングメッセージを監視することに用いられることを特徴とする
請求項３４に記載の端末装置。
【請求項３６】
前記受信モジュールは、更に、前記応答メッセージがＲＲＣ接続解放メッセージを含み、且つ前記ＲＲＣ接続解放メッセージが接続失敗指示メッセージを含む場合、前記第２端末装置のページング時刻に前記第２端末装置のページングメッセージを監視することに用いられ、又は
前記受信モジュールは、更に、前記応答メッセージがＲＲＣ接続拒絶メッセージを含む場合、前記第２端末装置のページング時刻に前記第２端末装置のページングメッセージを監視することに用いられ、又は
前記受信モジュールは、更に、前記応答メッセージがＲＲＣ接続構成メッセージを含む場合、前記第１端末装置のページング時刻に前記第２端末装置のページングメッセージを監視することに用いられることを特徴とする
請求項３５に記載の端末装置。
【請求項３７】
前記応答メッセージが前記ＲＲＣ接続解放メッセージ又は前記ＲＲＣ接続拒絶メッセージを含む場合、前記端末装置は、更に、
前記第１端末装置と前記第２端末装置とのリンク接続が中断される場合、再び前記ネットワーク機器へ前記状態更新メッセージを送信する必要がないことを確定するための確定モジュールを備えることを特徴とする
請求項３６に記載の端末装置。
【請求項３８】
前記送信モジュールは、更に、前記第２端末装置のページングメッセージを検知した後、前記第２端末装置へ前記第２端末装置のページングメッセージを送信することに用いられることを特徴とする
請求項３５〜３７のいずれか１項に記載の端末装置。
【発明の詳細な説明】
【技術分野】
【０００１】
本願は通信分野に関し、且つより具体的に、無線通信方法、ネットワーク機器及び端末装置に関する。
【背景技術】
【０００２】
無線通信技術の発展に伴い、現在無線通信システムには、ウェアラブル端末のための中継機能が導入されており、それは、主に遠隔端末（例えば、ウェアラブル端末）が中継端末（例えば、携帯電話端末）を介してデータ伝送を行う機能である。この機能において、中継端末は遠隔端末のデータ伝送に手伝う。
【０００３】
遠隔端末が中継端末を介してネットワーク機器（例えば、基地局、コアネットワーク機器）と通信するため、ネットワーク機器が遠隔端末と直接通信できず、遠隔端末のダウンリンクデータがある場合、遠隔端末のダウンリンクデータの正確な伝送を確保するために、ネットワーク機器がどのように遠隔端末装置へページングメッセージを送信するかについては、早急な解決の待たれる技術的問題である。
【発明の概要】
【発明が解決しようとする課題】
【０００４】
本願の実施例は無線通信方法、ネットワーク機器及び端末装置を提供し、それによって、ネットワーク機器は少なくとも２つの方式で遠隔端末へページングメッセージを送信することができ、同時に中継端末が少なくとも２つの方式のうちの１つで遠隔端末のページングメッセージを受信し、それにより遠隔端末のダウンリンクデータの正確な伝送を確保する。
【課題を解決するための手段】
【０００５】
第１態様では、本願の実施例は無線通信方法を提供し、
ネットワーク機器は、指示メッセージを該第１端末装置に送信し、該指示メッセージが、該第１端末装置のページング時刻に第２端末装置のページングメッセージを監視し又は該第２端末装置のページング時刻に該第２端末装置のページングメッセージを監視するように該第１端末装置に指示することに用いられ、該第２端末装置が該第１端末装置によって該ネットワーク機器と通信することを含む。
【０００６】
従って、本願の実施例の無線通信方法において、ネットワーク機器は指示メッセージで第１端末装置が第１端末装置のページング時刻に第２端末装置のページングメッセージを監視し又は第１端末装置が第２端末装置のページング時刻に第２端末装置のページングメッセージを監視することを示し、それによりネットワーク機器は第１端末装置によって第２端末装置のページングメッセージを正確に送信することができ、第２端末装置のダウンリンクデータの正確な伝送を確保する。
【０００７】
好ましくは、第１態様の実現方式では、該ネットワーク機器が該第１端末装置へ該指示メッセージを送信する前に、該方法は、更に、
該ネットワーク機器が該第１端末装置のページング時刻に該第２端末装置のページングメッセージを送信することを確定することを含み、
該ネットワーク機器が第１端末装置へ指示メッセージを送信することは、
該ネットワーク機器が、該第１端末装置が該第１端末装置のページング時刻に該第２端末装置のページングメッセージを監視することを示すための該指示メッセージを該第１端末装置に送信することを含む。
【０００８】
従って、本願の実施例の無線通信方法において、ネットワーク機器が第１端末装置のページング時刻に第２端末装置のページングメッセージを送信することを確定し、この時、指示メッセージは第１端末装置が第１端末装置のページング時刻に第２端末装置のページングメッセージを監視することを示すことに用いられ、それにより第１端末装置は第２端末装置のページングメッセージを正確に受信することができ、第２端末装置のダウンリンクデータの正確な伝送を確保する。
【０００９】
好ましくは、第１態様の実現方式では、該ネットワーク機器が該第１端末装置へ該指示メッセージを送信する前に、該方法は、更に、
該ネットワーク機器が該第２端末装置のページング時刻に該第２端末装置のページングメッセージを送信することを確定することを含み、
該ネットワーク機器が第１端末装置へ指示メッセージを送信することは、
該ネットワーク機器が、該第１端末装置が該第２端末装置のページング時刻に該第２端末装置のページングメッセージを監視することを示すための該指示メッセージを該第１端末装置に送信することを含む。
【００１０】
従って、本願の実施例の無線通信方法において、ネットワーク機器が第２端末装置のページング時刻に第２端末装置のページングメッセージを送信することを確定し、この時、指示メッセージは第１端末装置が第２端末装置のページング時刻に第２端末装置のページングメッセージを監視することを示すことに用いられ、それにより第１端末装置は第２端末装置のページングメッセージを正確に受信することができ、第２端末装置のダウンリンクデータの正確な伝送を確保する。
【００１１】
好ましくは、第１態様の実現方式では、該第２端末装置のページングメッセージは、該第１端末装置のページングメッセージに搬送される。
【００１２】
好ましくは、第１態様の実現方式では、該指示メッセージは、システムメッセージ又は無線リソース制御（ＲＲＣ）専用シグナリングである。
【００１３】
第２態様では、本願の実施例は無線通信方法を提供し、
ネットワーク機器は第１端末装置から、該第１端末装置と第２端末装置とのリンク状態情報を更新するように該ネットワーク機器に要求するための状態更新メッセージを受信し、該第２端末装置が該第１端末装置によって該ネットワーク機器と通信することを含む。
【００１４】
従って、本願の実施例の無線通信方法において、ネットワーク機器は第１端末装置から受信された状態更新メッセージによって第１端末装置と第２端末装置とのリンク状態情報を更新することができ、それにより第１端末装置は第２端末装置とのリンク接続を確立する必要があるとき、ネットワーク機器は第１端末装置と第２端末装置とのリンク状態情報を直ちに更新することができる。
【００１５】
好ましくは、第２態様の実現方式では、該方法は、更に、
該ネットワーク機器が該第１端末装置へ該状態更新メッセージに対する応答メッセージを送信することと、
該ネットワーク機器が該応答メッセージに基づき、該第１端末装置のページング時刻に該第２端末装置のページングメッセージを送信し、又は該第２端末装置のページング時刻に該第２端末装置のページングメッセージを送信することと、を含む。
【００１６】
従って、本願の実施例の無線通信方法において、ネットワーク機器は応答メッセージに基づいて第２端末装置のページングメッセージの送信時刻を確定することができる。
【００１７】
好ましくは、第２態様の実現方式では、該ネットワーク機器が該第１端末装置へ該状態更新メッセージに対する応答メッセージを送信することは、
該ネットワーク機器が該第１端末装置へ該第１端末装置と該第２端末装置とのリンク状態情報の更新に成功した応答メッセージを送信し、又は
該ネットワーク機器が該第１端末装置へ該第１端末装置と該第２端末装置とのリンク状態情報の更新に失敗した応答メッセージを送信し、又は
該ネットワーク機器が該第１端末装置へ該第１端末装置と該第２端末装置とのリンク状態情報の更新を拒絶した応答メッセージを送信することを含む。
【００１８】
好ましくは、第２態様の実現方式では、該ネットワーク機器が該応答メッセージに基づき、該第１端末装置のページング時刻に該第２端末装置のページングメッセージを送信し、又は該第２端末装置のページング時刻に該第２端末装置のページングメッセージを送信することは、
該応答メッセージが該第１端末装置と該第２端末装置とのリンク状態情報の更新に失敗した応答メッセージを含む場合、該ネットワーク機器が該第２端末装置のページング時刻に該第２端末装置のページングメッセージを送信し、又は
該応答メッセージが該第１端末装置と該第２端末装置とのリンク状態情報の更新を拒絶した応答メッセージを含む場合、該ネットワーク機器が該第２端末装置のページング時刻に該第２端末装置のページングメッセージを送信し、又は
該応答メッセージが該第１端末装置と該第２端末装置とのリンク状態情報の更新に成功した応答メッセージを含む場合、該ネットワーク機器が該第１端末装置のページング時刻に該第２端末装置のページングメッセージを送信することを含む。
【００１９】
従って、本願の実施例の無線通信方法において、ネットワーク機器から送信された応答メッセージにはリンク状態情報の更新に失敗した又はリンク状態情報の更新を拒絶した応答メッセージが含まれるとき、ネットワーク機器が第２端末装置のページング時刻に第２端末装置のページングメッセージを送信し、ネットワーク機器から送信された応答メッセージにはリンク状態情報の更新に成功した応答メッセージが含まれるとき、ネットワーク機器が第１端末装置のページング時刻に第２端末装置のページングメッセージを送信し、それにより第２端末装置のダウンリンクデータの正確な伝送を確保する。
【００２０】
好ましくは、第２態様の実現方式では、該第１端末装置と該第２端末装置とのリンク状態情報の更新に失敗した該応答メッセージが無線リソース制御（ＲＲＣ：Ｒａｄｉｏ  Ｒｅｓｏｕｒｃｅ  Ｃｏｎｔｒｏｌ）接続解放メッセージであり、該ＲＲＣ接続解放メッセージが接続失敗指示メッセージを含み、
該第１端末装置と該第２端末装置とのリンク状態情報の更新を拒絶した該応答メッセージがＲＲＣ接続拒絶メッセージであり、
該第１端末装置と該第２端末装置とのリンク状態情報の更新に成功した該応答メッセージがＲＲＣ接続構成メッセージである。
【００２１】
第３態様では、本願の実施例は無線通信方法を提供し、
第１端末装置はネットワーク機器から指示メッセージを受信し、該指示メッセージが、該第１端末装置のページング時刻に第２端末装置のページングメッセージを監視し又は該第２端末装置のページング時刻に該第２端末装置のページングメッセージを監視するように該第１端末装置に指示することに用いられ、該第２端末装置が該第１端末装置によって該ネットワーク機器と通信することと、
該第１端末装置が該指示メッセージに基づいて該第２端末装置のページングメッセージを監視することと、を含む。
【００２２】
従って、本願の実施例の無線通信方法において、第１端末装置がネットワーク機器から受信された指示メッセージに基づいて第２端末装置のページングメッセージを監視し、第２端末装置のダウンリンクデータの正確な伝送を確保する。
【００２３】
好ましくは、第３態様の実現方式では、該方法は、更に、
該第２端末装置のページングメッセージを検知した後、該第１端末装置が該第２端末装置へ該第２端末装置のページングメッセージを送信することを含む。
【００２４】
好ましくは、第３態様の実現方式では、該第２端末装置のページングメッセージは、該第１端末装置のページングメッセージに搬送される。
【００２５】
好ましくは、第３態様の実現方式では、該指示メッセージは、システムメッセージ又は無線リソース制御（ＲＲＣ）専用シグナリングである。
【００２６】
第４態様では、本願の実施例は無線通信方法を提供し、
第１端末装置が該第１端末装置と第２端末装置とのリンク状態情報を更新するための状態更新メッセージをネットワーク機器に送信し、該第２端末装置が該第１端末装置によって該ネットワーク機器と通信することを含む。
【００２７】
従って、本願の実施例の無線通信方法において、第１端末装置が状態更新メッセージをネットワーク機器に送信することにより、ネットワーク機器が第１端末装置と第２端末装置とのリンク状態情報を更新する。
【００２８】
好ましくは、第４態様の実現方式では、該方法は、更に、
該第１端末装置が該ネットワーク機器から該状態更新メッセージに対する応答メッセージを受信することと、
該第１端末装置が該応答メッセージに基づき、該第２端末装置のページング時刻に該第２端末装置のページングメッセージを監視し、又は該第１端末装置のページング時刻に該第２端末装置のページングメッセージを監視することと、を含む。
【００２９】
従って、本願の実施例の無線通信方法において、第１端末装置はリンク状態更新メッセージに対する応答メッセージに基づき、第２端末装置のページング時刻に第２端末装置のページングメッセージを監視し、又は第１端末装置のページング時刻に第２端末装置のページングメッセージを監視することを確定でき、それにより第１端末装置は第２端末装置のページングメッセージを正確に受信することができ、第２端末装置のダウンリンクデータの正確な伝送を確保する。
【００３０】
好ましくは、第４態様の実現方式では、該第１端末装置が該応答メッセージに基づき、該第２端末装置のページング時刻に該第２端末装置のページングメッセージを監視し、又は該第１端末装置のページング時刻に該第２端末装置のページングメッセージを監視することは、
該応答メッセージがＲＲＣ接続解放メッセージを含み、且つ該ＲＲＣ接続解放メッセージが接続失敗指示メッセージを含む場合、該第１端末装置が該第２端末装置のページング時刻に該第２端末装置のページングメッセージを監視し、又は
該応答メッセージがＲＲＣ接続拒絶メッセージを含む場合、該第１端末装置が該第２端末装置のページング時刻に該第２端末装置のページングメッセージを監視し、又は
該応答メッセージがＲＲＣ接続構成メッセージを含む場合、該第１端末装置該第１端末装置のページング時刻に該第２端末装置のページングメッセージを監視することを含む。
【００３１】
好ましくは、第４態様の実現方式では、該応答メッセージが該ＲＲＣ接続解放メッセージ又は該ＲＲＣ接続拒絶メッセージを含む場合、該方法は、更に、
該第１端末装置と該第２端末装置とのリンク接続が中断される場合、該第１端末装置が再び該ネットワーク機器へ該状態更新メッセージを送信する必要がないことを確定することを含む。
【００３２】
好ましくは、第４態様の実現方式では、該方法は、更に、
該第２端末装置のページングメッセージを検知した後、該第１端末装置が該第２端末装置へ該第２端末装置のページングメッセージを送信することを含む。
【００３３】
第５態様では、本願の実施例はネットワーク機器を提供し、第１態様又は第１態様のいずれか１つの可能な実現方式における方法を実行できるモジュール又はユニットを備える。
【００３４】
第６態様では、本願の実施例はネットワーク機器を提供し、第２態様又は第２態様のいずれか１つの可能な実現方式における方法を実行できるモジュール又はユニットを備える。
【００３５】
第７態様では、本願の実施例は端末装置を提供し、第３態様又は第３態様のいずれか１つの可能な実現方式における方法を実行できるモジュール又はユニットを備える。
【００３６】
第８態様では、本願の実施例は端末装置を提供し、第４態様又は第４態様のいずれか１つの可能な実現方式における方法を実行できるモジュール又はユニットを備える。
【００３７】
第９態様では、ネットワーク機器を提供し、該ネットワーク機器はプロセッサ、メモリ及び通信インターフェースを備える。プロセッサがメモリ及び通信インターフェースに接続される。メモリが命令を記憶することに用いられ、プロセッサが該命令を実行することに用いられ、通信インターフェースがプロセッサの制御によって他のネットワーク要素と通信することに用いられる。該プロセッサが該メモリに記憶される命令を実行するとき、該実行によって該プロセッサが第１態様又は第１態様の任意の可能な実現方式における方法を実行する。
【００３８】
第１０態様では、ネットワーク機器を提供し、該ネットワーク機器はプロセッサ、メモリ及び通信インターフェースを備える。プロセッサがメモリ及び通信インターフェースに接続される。メモリが命令を記憶することに用いられ、プロセッサが該命令を実行することに用いられ、通信インターフェースがプロセッサの制御によって他のネットワーク要素と通信することに用いられる。該プロセッサが該メモリに記憶される命令を実行するとき、該実行によって該プロセッサが第２態様又は第２態様の任意の可能な実現方式における方法を実行する。
【００３９】
第１１態様では、端末装置を提供し、該端末装置はプロセッサ、メモリ及び通信インターフェースを備える。プロセッサがメモリ及び通信インターフェースに接続される。メモリが命令を記憶することに用いられ、プロセッサが該命令を実行することに用いられ、通信インターフェースがプロセッサの制御によって他のネットワーク要素と通信することに用いられる。該プロセッサが該メモリに記憶される命令を実行するとき、該実行によって該プロセッサが第３態様又は第３態様の任意の可能な実現方式における方法を実行する。
【００４０】
第１２態様では、端末装置を提供し、該端末装置はプロセッサ、メモリ及び通信インターフェースを備える。プロセッサがメモリ及び通信インターフェースに接続される。メモリが命令を記憶することに用いられ、プロセッサが該命令を実行することに用いられ、通信インターフェースがプロセッサの制御によって他のネットワーク要素と通信することに用いられる。該プロセッサが該メモリに記憶される命令を実行するとき、該実行によって該プロセッサが第４態様又は第４態様の任意の可能な実現方式における方法を実行する。
【００４１】
第１３態様では、コンピュータ記憶媒体を提供し、該コンピュータ記憶媒体にプログラムコードが記憶され、該プログラムコードはコンピュータが上記第１態様又は第１態様のいずれか１つの可能な実現方式における方法を実行する命令を示すことに用いられる。
【００４２】
第１４態様では、コンピュータ記憶媒体を提供し、該コンピュータ記憶媒体にプログラムコードが記憶され、該プログラムコードはコンピュータが上記第２態様又は第２態様のいずれか１つの可能な実現方式における方法を実行する命令を示すことに用いられる。
【００４３】
第１５態様では、コンピュータ記憶媒体を提供し、該コンピュータ記憶媒体にプログラムコードが記憶され、該プログラムコードはコンピュータが上記第３態様又は第３態様のいずれか１つの可能な実現方式における方法を実行する命令を示すことに用いられる。
【００４４】
第１６態様では、コンピュータ記憶媒体を提供し、該コンピュータ記憶媒体にプログラムコードが記憶され、該プログラムコードはコンピュータが上記第４態様又は第４態様のいずれか１つの可能な実現方式における方法を実行する命令を示すことに用いられる。
【００４５】
第１７態様では、命令を含むコンピュータプログラム製品を提供し、それがコンピュータにおいて実行されるとき、コンピュータが上記各態様に記載の方法を実行する。
【図面の簡単な説明】
【００４６】
【図１】図１は本願の無線通信方法を用いる通信システムの模式図である。
【図２】図２は本願の実施例に係る無線通信方法の模式的なフローチャートである。
【図３】図３は本願の他の実施例に係る無線通信方法の模式的なフローチャートである。
【図４】図４は本願の別の実施例に係る無線通信方法の模式的なフローチャートである。
【図５】図５は本願の別の実施例に係る無線通信方法の模式的なフローチャートである。
【図６】図６は本願の実施例の無線通信方法の模式的なフローチャートである。
【図７】図７は本願の実施例の無線通信方法の他の模式的なフローチャートである。
【図８】図８は本願の実施例のネットワーク機器の模式的なブロック図である。
【図９】図９は本願の実施例のネットワーク機器の他の模式的なブロック図である。
【図１０】図１０は本願の実施例の端末装置の模式的なブロック図である。
【図１１】図１１は本願の実施例の端末装置の他の模式的なブロック図である。
【図１２】図１２は本願の実施例に係る通信装置の模式的なブロック図である。
【発明を実施するための形態】
【００４７】
以下、図面を参照しながら本願の実施例の技術案を説明する。
【００４８】
図１は本願のデータ伝送方法を用いる通信システムの模式図である。図１に示すように、該通信システム１００は遠隔端末装置１１０、中継端末装置１２０、アクセスネットワーク機器１３０、コントロールプレーンネットワーク要素１４０、ユーザプレーンネットワーク要素１５０、データネットワーク１６０を備える。また、当業者であれば、該通信システム１００における異なる装置がインターフェースを介して通信すると理解される。
【００４９】
遠隔端末装置１１０は中継端末装置１２０によってデータ伝送を行うことができ、例えば、アクセスネットワーク機器１３０は遠隔端末装置１１０に対するダウンリンクデータを受信するとき、中継端末装置１２０によって遠隔端末装置１１０へページングメッセージを送信することができる。好ましくは、本願の実施例において、遠隔端末装置１１０はウェアラブル端末、スマート冷蔵庫、スマートエアコンを含むが、それらに限らず、例えば、ウェアラブル端末はスマートブレスレット、スマートヘルメット等を含んでもよい。
【００５０】
中継端末装置１２０は搬送によってアクセスネットワーク機器１３０とユーザプレーン接続を確立してもよいし、インターフェースを介してコントロールプレーンネットワーク要素１４０と通信シグナリング接続を確立してもよい。中継端末装置１２０は複数の遠隔端末装置１１０と通信することができると理解すべきである。好ましくは、本願の実施例において、中継端末装置１２０はアクセス端末、ユーザ装置（ＵＥ：Ｕｓｅｒ  Ｅｑｕｉｐｍｅｎｔ）、ユーザ要素、加入者局、移動局、トラバーサー、遠隔局、遠隔端末、モバイルデバイス、ユーザ端末、端末、無線通信装置、ユーザエージェント又はユーザデバイスを含むが、それらに限らない。アクセス端末はセルラー方式の電話、コードレスホン、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレスローカルループ（ＷＬＬ：Ｗｉｒｅｌｅｓｓ  Ｌｏｃａｌ  Ｌｏｏｐ）局、パーソナルデジタルアシスタント（ＰＤＡ：Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ユビキタスネットワークにおける端末装置、仮想現実装置、将来の５Ｇネットワークにおける端末装置又は将来発展する公衆陸上移動網（ＰＬＭＮ：Ｐｕｂｌｉｃ  Ｌａｎｄ  Ｍｏｂｉｌｅ  Ｎｅｔｗｏｒｋ）における端末装置等であってもよい。
【００５１】
アクセスネットワーク機器１３０は中継端末装置１２０と通信する機器、例えば基地局又は基地局コントローラ等であってもよい。ところが、該アクセスネットワーク機器１３０は中継端末装置１２０に類似する任意数の端末装置と通信することができると理解される。アクセスネットワーク機器１３０は更にインターフェースを介してコントロールプレーンネットワーク要素１４０と通信することができる。同様に、アクセスネットワーク機器１３０は更にインターフェースを介してユーザプレーンネットワーク要素１５０と通信することができる。各アクセスネットワーク機器は特定の地理的領域に通信カバレッジを提供することができ、且つ該カバレッジ領域（セル）内の端末装置（例えば、ＵＥ）と通信することができ、アクセスネットワーク機器は異なる方式の通信プロトコルをサポートすることができ、又は異なる通信モードをサポートすることができる。好ましくは、該アクセスネットワーク機器１３０は端末装置に無線アクセスサービスを提供することができ、例えば、該アクセスネットワーク機器１３０は発展型基地局（ｅＮｏｄｅＢ：Ｅｖｏｌｖｅｄ  Ｎｏｄｅ  Ｂ）、又はワイヤレスフィデリティアクセスポイント（ＷｉＦｉ  ＡＰ：Ｗｉｒｅｌｅｓｓ  Ｆｉｄｅｌｉｔｙ  Ａｃｃｅｓｓ  Ｐｏｉｎｔ）、又はワールドワイド・インタオペラビリティ・フォー・マイクロウェーブ・アクセス基地局（ＷｉＭＡＸ  ＢＳ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ  Ｂａｓｅ  Ｓｔａｔｉｏｎ）、又はクラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラであってもよく、又は将来の５Ｇネットワークにおけるネットワーク機器又は将来発展する公衆陸上移動網（ＰＬＭＮ：Ｐｕｂｌｉｃ  Ｌａｎｄ  Ｍｏｂｉｌｅ  Ｎｅｔｗｏｒｋ）におけるネットワーク機器等であってもよい。
【００５２】
コントロールプレーンネットワーク要素１４０は該通信システム１００におけるモビリティ管理、転送パス管理を担い、例えばユーザプレーンネットワーク要素１５０へメッセージ転送ポリシーを送信し、ゲートウェイユーザプレーン（ＧＷ−Ｕ：Ｇａｔｅｗａｙ  Ｕｓｅｒ  Ｐｌａｎｅ）がメッセージ転送ポリシーに基づいてメッセージ処理及び転送を行うように指示する。コントロールプレーンネットワーク要素１４０はソフトウェア定義ネットワーク（ＳＤＮ：Ｓｏｆｔｗａｒｅ  Ｄｅｆｉｎｅｄ  Ｎｅｔｗｏｒｋ）コントローラ、ゲートウェイコントロールプレーン（ＧＷ−Ｃ：Ｇａｔｅｗａｙ  Ｃｏｎｔｒｏｌ  Ｐｌａｎｅ）、モビリティ管理エンティティ（ＭＭＥ：Ｍｏｂｉｌｉｔｙ  Ｍａｎａｇｅｍｅｎｔ  Ｅｎｔｉｔｙ）又は以上のネットワーク要素を統合してなる制御機能の全部又は一部であってもよい。ソフトウェア定義ネットワーク技術はゲートウェイシグナリング処理のボトルネック問題に効果的な手段を提供し、更にゲートウェイのコントロールプレーンインターフェースシグナリング処理機能及びユーザプレーンデータ転送機能を分離することにより、インターフェースシグナリング処理機能を汎用コンピューティングプラットフォームに追加して、コントロールプレーンネットワーク要素（ＣＰ：Ｃｏｎｔｒｏｌ  Ｐｌａｎｅ）となり、ユーザプレーンデータ転送機能を専用ハードウェアプラットフォームに追加して、ユーザプレーンネットワーク要素（ＵＰ：Ｕｓｅｒ  Ｐｌａｎｅ）となる。コントロールプレーンネットワーク要素１４０は更にモビリティ管理ネットワーク要素及びセッション管理ネットワーク要素に分けられてもよく、モビリティ管理ネットワーク要素は端末装置のモビリティ管理、例えば端末装置のネットワークへの付着、端末装置の位置変化等を担い、セッション管理ネットワーク要素は端末装置のセッション管理、例えばセッション確立、修正、解放等を担う。また、ゲートウェイ装置制御及び転送に対するデカップリングによって、ハードウェアプラットフォームの設計を大幅に簡素化し、ハードウェアプラットフォームのコストを削減し、モバイルパケットデータネットワークの展開の加速化に役立つ。ＭＭＥは主にコントロールプレーンのモビリティ管理及びセッション管理、例えばユーザの認証、切替、アイドル状態にある端末のモビリティ管理、ユ
ーザコンテクスト及び搬送管理等を担う。
【００５３】
ユーザプレーンネットワーク要素１５０はメッセージ処理及び転送を担う。ユーザプレーンネットワーク要素１５０はＰ−ＧＷのユーザプレーン機能、Ｓ−ＧＷのユーザプレーン機能、ルーター、スイッチ等の物理又は仮想転送装置であってもよい。
【００５４】
データネットワーク１６０はユーザにデータ伝送サービスを提供し、パケットデータネットワーク（ＰＤＮ：Ｐａｃｋｅｔ  Ｄａｔａ  Ｎｅｔｗｏｒｋ）、例えばインターネット（Ｉｎｔｅｒｎｅｔ）、インターネットプロトコルマルチメディアサービス（ＩＰ  ＩＭＳ：ＩＰ  Ｍｕｌｔｉ−ｍｅｄｉａ  Ｓｅｒｖｉｃｅ）等であってもよい。
【００５５】
遠隔端末装置１１０、中継端末装置１２０又はアクセスネットワーク機器１３０は無線通信送信装置及び／又は無線通信受信装置であってもよい。データを送信するとき、無線通信送信装置は伝送のためにデータを符号化することができる。具体的に、無線通信送信装置はチャネルを介して無線通信受信装置に送信しようとする一定数のデータビットを取得する（例えば生成し、他の通信装置から受信し、又はメモリに保存する等）ことができる。このようなデータビットがデータの伝送ブロック（又は複数の伝送ブロック）に含まれてもよく、伝送ブロックを分割して複数のコードブロックを生成することができる。
【００５６】
なお、該通信システム１００は公衆陸上移動網（ＰＬＭＮ：Ｐｕｂｌｉｃ  Ｌａｎｄ  Ｍｏｂｉｌｅ  Ｎｅｔｗｏｒｋ）ネットワーク又はＤ２Ｄ（Ｄｅｖｉｃｅ  ｔｏ  Ｄｅｖｉｃｅ）ネットワーク又はＭ２Ｍ（Ｍａｃｈｉｎｅ  ｔｏ  Ｍａｃｈｉｎｅ）ネットワーク又は他のネットワークであってもよく、図１は列挙した概略模式図に過ぎず、ネットワークに更に他のネットワーク機器が含まれてもよく、図１に図示しない。
【００５７】
本願の実施例に係る無線通信方法は中継端末装置に適用されてもよく、該中継端末装置はハードウェア層、ハードウェア層において実行するオペレーティングシステム層及びオペレーティングシステム層において実行するアプリケーション層を備える。該ハードウェア層は中央処理装置（ＣＰＵ：Ｃｅｎｔｒａｌ  Ｐｒｏｃｅｓｓｉｎｇ  Ｕｎｉｔ）、メモリ管理ユニット（ＭＭＵ：Ｍｅｍｏｒｙ  Ｍａｎａｇｅｍｅｎｔ  Ｕｎｉｔ）及びメモリ（メインメモリとも称される）等のハードウェアを備える。該オペレーティングシステムはプロセス（Ｐｒｏｃｅｓｓ）によってサービス処理を実現するいずれか１つ又は複数のコンピュータオペレーティングシステム、例えばＬｉｎｕｘオペレーティングシステム、Ｕｎｉｘオペレーティングシステム、Ａｎｄｒｏｉｄオペレーティングシステム、ｉＯＳオペレーティングシステム又はｗｉｎｄｏｗｓオペレーティングシステム等であってもよい。該アプリケーション層はブラウザ、アドレス帳、文字処理ソフトウェア、リアルタイム通信ソフトウェア等のアプリケーションを含む。
【００５８】
本願の実施例に係る無線通信方法はネットワーク機器に適用されてもよく、該ネットワーク機器はアクセスネットワーク機器であってもよいし、コアネットワークであってもよい。例えば、コアネットワークがページングメッセージを送信し、又は、アクセスネットワーク機器がコアネットワークの要求に応じてページングメッセージを送信する。
【００５９】
なお、本願の各態様又は特徴は方法、装置、又は、標準的なプログラミング技術及び／又はエンジニアリング技術を用いた製品として実現されてもよい。本願に用いられた用語「製品」は任意のコンピュータ可読デバイス、キャリア又は媒体にアクセスされるコンピュータプログラムを含む。例えば、コンピュータ可読媒体は磁気記憶デバイス（例えば、ハードディスク、フロッピーディスク又は磁気テープ等）、光ディスク（例えば、コンパクトディスク（ＣＤ：Ｃｏｍｐａｃｔ  Ｄｉｓｃ）、デジタル多用途ディスク（ＤＶＤ：Ｄｉｇｉｔａｌ  Ｖｅｒｓａｔｉｌｅ  Ｄｉｓｃ）等）、スマートカード及びフラッシュデバイス（例えば、消去可能プログラム可能読み出し専用メモリ（ＥＰＲＯＭ：Ｅｒａｓａｂｌｅ  Ｐｒｏｇｒａｍｍａｂｌｅ  Ｒｅａｄ−Ｏｎｌｙ  Ｍｅｍｏｒｙ）、カード、スティック、キー・ドライブ等）を含むが、それらに限らない。また、本明細書に説明される様々な記憶媒体は情報を記憶するための１つ又は複数の装置及び／又は他の機械可読媒体を代表することができる。用語「機械可読媒体」は命令及び／又はデータを記憶、包含及び／又は搬送することのできる様々な媒体を含むが、それらに限らない。
【００６０】
図２は本願の実施例に係る無線通信方法２００の模式的なフローチャートである。図２に示すように、ネットワーク機器は図１に示されるアクセスネットワーク機器であってもよいし、図１に示されるデータネットワークであってもよく、第１端末装置は図１に示される中継端末装置であってもよく、第２端末装置は図１に示される遠隔端末装置であってもよい。該方法２００は以下を含む。
【００６１】
２１０、ネットワーク機器は、指示メッセージを該第１端末装置に送信し、該指示メッセージが、該第１端末装置のページング時刻に第２端末装置のページングメッセージを監視し又は該第２端末装置のページング時刻に該第２端末装置のページングメッセージを監視するように該第１端末装置に指示することに用いられ、該第２端末装置が該第１端末装置によって該ネットワーク機器と通信する。
【００６２】
好ましくは、該ネットワーク機器が該指示メッセージを送信する前に、該ネットワーク機器が該第１端末装置のページング時刻に該第２端末装置のページングメッセージを送信することを確定し、この時、該指示メッセージは該第１端末装置が該第１端末装置のページング時刻に該第２端末装置のページングメッセージを監視することを示すことに用いられてもよい。
【００６３】
好ましくは、該ネットワーク機器が該指示メッセージを送信する前に、該ネットワーク機器が該第２端末装置のページング時刻に該第２端末装置のページングメッセージを送信することを確定し、この時、該指示メッセージは該第１端末装置が該第２端末装置のページング時刻に該第２端末装置のページングメッセージを監視することを示すことに用いられてもよい。
【００６４】
好ましくは、該第２端末装置のページングメッセージが該第１端末装置のページングメッセージに含まれてもよく、例えば、ネットワーク機器は該第１端末装置のページングメッセージを送信するとき、該第２端末装置のページングメッセージを該第１端末装置のページングメッセージに持って送信してもよい。
【００６５】
好ましくは、該指示メッセージは、システムメッセージ又は無線リソース制御（ＲＲＣ）専用シグナリングである。
【００６６】
従って、本願の実施例の無線通信方法において、ネットワーク機器は指示メッセージで第１端末装置が第１端末装置のページング時刻に第２端末装置のページングメッセージを監視し又は第１端末装置が第２端末装置のページング時刻に第２端末装置のページングメッセージを監視することを示し、それによりネットワーク機器は第１端末装置によって第２端末装置のページングメッセージを正確に送信することができ、第２端末装置のダウンリンクデータの正確な伝送を確保する。
【００６７】
図３は本願の実施例に係る無線通信方法３００の模式的なフローチャートである。図３に示すように、ネットワーク機器は図１に示されるアクセスネットワーク機器であってもよいし、図１に示されるデータネットワークであってもよく、第１端末装置は図１に示される中継端末装置であってもよく、第２端末装置は図１に示される遠隔端末装置であってもよい。該方法３００は以下を含む。
【００６８】
３１０、ネットワーク機器は第１端末装置から、該第１端末装置と第２端末装置とのリンク状態情報を更新するように該ネットワーク機器に要求するための状態更新メッセージを受信し、該第２端末装置が該第１端末装置によって該ネットワーク機器と通信する。
【００６９】
好ましくは、第１端末装置が第２端末装置とのリンク接続を確立するとき、第１端末装置がネットワーク機器へ該状態更新メッセージを送信する。
【００７０】
好ましくは、ネットワーク機器が該状態更新メッセージを受信した後、該第１端末装置と該第２端末装置とのリンク状態情報を更新するかどうかを確定する。
【００７１】
好ましくは、ネットワーク機器が該第１端末装置へ該状態更新メッセージに対する応答メッセージを送信する。好ましくは、該応答メッセージは該第１端末装置と該第２端末装置とのリンク状態情報の更新に成功した応答メッセージであってもよく、該第１端末装置と該第２端末装置とのリンク状態情報の更新に失敗した応答メッセージであってもよく、該第１端末装置と該第２端末装置とのリンク状態情報の更新を拒絶した応答メッセージであってもよい。
【００７２】
例えば、該第１端末装置と該第２端末装置とのリンク状態情報の更新に成功した応答メッセージがＲＲＣ  Ｃｏｎｎｅｃｔｉｏｎ  Ｒｅｃｏｎｆｉｇｕｒａｔｉｏｎであってもよく、該第１端末装置と該第２端末装置とのリンク状態情報の更新に失敗した応答メッセージがＲＲＣ  Ｃｏｎｎｅｃｔｉｏｎ  Ｒｅｌｅａｓｅであってもよく、この時、該ＲＲＣ  Ｃｏｎｎｅｃｔｉｏｎ  ＲｅｌｅａｓｅにＦａｉｌｕｒｅ  Ｉｎｄｉｃａｔｉｏｎメッセージが含まれ、該第１端末装置と該第２端末装置とのリンク状態情報の更新を拒絶した応答メッセージがＲＲＣ  Ｃｏｎｎｅｃｔｉｏｎ  Ｒｅｊｅｃｔであってもよい。
【００７３】
好ましくは、ネットワーク機器が該応答メッセージに基づき、該第１端末装置のページング時刻に該第２端末装置のページングメッセージを送信し、又は該第２端末装置のページング時刻に該第２端末装置のページングメッセージを送信する。
【００７４】
例えば、該応答メッセージが該第１端末装置と該第２端末装置とのリンク状態情報の更新に失敗した応答メッセージを含む場合、該ネットワーク機器が該第２端末装置のページング時刻に該第２端末装置のページングメッセージを送信する。
【００７５】
更に、例えば、該応答メッセージが該第１端末装置と該第２端末装置とのリンク状態情報の更新を拒絶した応答メッセージを含む場合、該ネットワーク機器が該第２端末装置のページング時刻に該第２端末装置のページングメッセージを送信する。
【００７６】
更に、例えば、該応答メッセージが該第１端末装置と該第２端末装置とのリンク状態情報の更新に成功した応答メッセージを含む場合、該ネットワーク機器が該第１端末装置のページング時刻に該第２端末装置のページングメッセージを送信する。
【００７７】
従って、本願の実施例の無線通信方法において、ネットワーク機器から送信された応答メッセージにはリンク状態情報の更新に失敗した又はリンク状態情報の更新を拒絶した応答メッセージが含まれるとき、ネットワーク機器が第２端末装置のページング時刻に第２端末装置のページングメッセージを送信し、ネットワーク機器から送信された応答メッセージにはリンク状態情報の更新に成功した応答メッセージが含まれるとき、ネットワーク機器が第１端末装置のページング時刻に第２端末装置のページングメッセージを送信し、それにより第２端末装置のダウンリンクデータの正確な伝送を確保する。
【００７８】
図４は本願の実施例に係る無線通信方法４００の模式的なフローチャートである。図４に示すように、ネットワーク機器は図１に示されるアクセスネットワーク機器であってもよいし、図１に示されるデータネットワークであってもよく、第１端末装置は図１に示される中継端末装置であってもよく、第２端末装置は図１に示される遠隔端末装置であってもよい。該方法４００は以下を含む。
【００７９】
４１０、第１端末装置はネットワーク機器から指示メッセージを受信し、該指示メッセージが、該第１端末装置のページング時刻に第２端末装置のページングメッセージを監視し又は該第２端末装置のページング時刻に該第２端末装置のページングメッセージを監視するように該第１端末装置に指示することに用いられ、該第２端末装置が該第１端末装置によって該ネットワーク機器と通信する。
【００８０】
４２０、該第１端末装置は該指示メッセージに基づいて該第２端末装置のページングメッセージを監視する。
【００８１】
好ましくは、該第２端末装置のページングメッセージを検知した後、該第１端末装置が該第２端末装置へ該第２端末装置のページングメッセージを送信する。
【００８２】
該第１端末装置が該第２端末装置のページングメッセージを検知した後、該第２端末装置のページングメッセージを第２端末装置に転送するだけで、該第２端末装置のページングメッセージを処理しないと理解すべきである。
【００８３】
好ましくは、該第２端末装置のページングメッセージは、該第１端末装置のページングメッセージに搬送される。
【００８４】
好ましくは、該指示メッセージは、システムメッセージ又は無線リソース制御（ＲＲＣ）専用シグナリングである。
【００８５】
好ましくは、該指示メッセージは、システムメッセージ又は無線リソース制御（ＲＲＣ）専用シグナリングである。
【００８６】
従って、本願の実施例の無線通信方法において、第１端末装置がネットワーク機器から受信された指示メッセージに基づいて第２端末装置のページングメッセージを監視し、それにより第２端末装置のダウンリンクデータの正確な伝送を確保する。
【００８７】
図５は本願の実施例に係る無線通信方法５００の模式的なフローチャートである。図５に示すように、ネットワーク機器は図１に示されるアクセスネットワーク機器であってもよいし、図１に示されるデータネットワークであってもよく、第１端末装置は図１に示される中継端末装置であってもよく、第２端末装置は図１に示される遠隔端末装置であってもよい。該方法５００は以下を含む。
【００８８】
５１０、第１端末装置は該第１端末装置と第２端末装置とのリンク状態情報を更新するための状態更新メッセージをネットワーク機器に送信し、該第２端末装置が該第１端末装置によって該ネットワーク機器と通信する。
【００８９】
好ましくは、該ネットワーク機器は該第１端末装置から送信された該状態更新メッセージを受信し、且つ該状態更新メッセージに基づき、該第１端末装置と第２端末装置とのリンク状態情報を更新するかどうかを確定する。好ましくは、該第１端末装置と第２端末装置とのリンク状態情報の更新を実行した後、又は該第１端末装置と第２端末装置とのリンク状態情報の更新の実行を拒絶したとき、該ネットワーク機器が該第１端末装置へ該状態更新メッセージに対する応答メッセージを送信する。
【００９０】
好ましくは、該第１端末装置が該ネットワーク機器から送信された該応答メッセージを受信する。
【００９１】
好ましくは、該応答メッセージは該第１端末装置と該第２端末装置とのリンク状態情報の更新に成功した応答メッセージであってもよく、該第１端末装置と該第２端末装置とのリンク状態情報の更新に失敗した応答メッセージであってもよく、該第１端末装置と該第２端末装置とのリンク状態情報の更新を拒絶した応答メッセージであってもよい。
【００９２】
例えば、該第１端末装置と該第２端末装置とのリンク状態情報の更新に成功した応答メッセージがＲＲＣ  Ｃｏｎｎｅｃｔｉｏｎ  Ｒｅｃｏｎｆｉｇｕｒａｔｉｏｎであってもよく、該第１端末装置と該第２端末装置とのリンク状態情報の更新に失敗した応答メッセージがＲＲＣ  Ｃｏｎｎｅｃｔｉｏｎ  Ｒｅｌｅａｓｅであってもよく、この時、該ＲＲＣ  Ｃｏｎｎｅｃｔｉｏｎ  ＲｅｌｅａｓｅにＦａｉｌｕｒｅ  Ｉｎｄｉｃａｔｉｏｎメッセージが含まれ、該第１端末装置と該第２端末装置とのリンク状態情報の更新を拒絶した応答メッセージがＲＲＣ  Ｃｏｎｎｅｃｔｉｏｎ  Ｒｅｊｅｃｔであってもよい。
【００９３】
好ましくは、第１端末装置は該応答メッセージに基づき、該第２端末装置のページング時刻に該第２端末装置のページングメッセージを監視し、又は該第１端末装置のページング時刻に該第２端末装置のページングメッセージを監視することができる。
【００９４】
例えば、該応答メッセージが該第１端末装置と該第２端末装置とのリンク状態情報の更新に失敗した応答メッセージを含む場合、該第１端末装置が該第２端末装置のページング時刻に該第２端末装置のページングメッセージを監視する。
【００９５】
更に、例えば、該応答メッセージが該第１端末装置と該第２端末装置とのリンク状態情報の更新を拒絶した応答メッセージを含む場合、該第１端末装置が該第２端末装置のページング時刻に該第２端末装置のページングメッセージを監視する。
【００９６】
更に、例えば、該応答メッセージが該第１端末装置と該第２端末装置とのリンク状態情報の更新に成功した応答メッセージを含む場合、該第１端末装置が該第１端末装置のページング時刻に該第２端末装置のページングメッセージを監視する。
【００９７】
従って、本願の実施例の無線通信方法において、第１端末装置はリンク状態更新メッセージに対する応答メッセージに基づき、第２端末装置のページング時刻に第２端末装置のページングメッセージを監視し、又は第１端末装置のページング時刻に第２端末装置のページングメッセージを監視することを確定でき、それにより第１端末装置は第２端末装置のページングメッセージを正確に受信することができ、第２端末装置のダウンリンクデータの正確な伝送を確保する。
【００９８】
好ましくは、一実施例として、図６に示すように、該方法６００は以下を含む。
【００９９】
Ｓ６１０、基地局が中継端末装置へ指示メッセージを送信する。
【０１００】
好ましくは、該指示メッセージは該中継端末装置が該中継端末装置のページング時刻に遠隔端末装置のページングメッセージを監視し又は該中継端末装置が該遠隔端末装置のページング時刻に該遠隔端末装置のページングメッセージを監視することを示すことに用いられる。
【０１０１】
該遠隔端末装置が該中継端末装置によって該ネットワーク機器と通信すると理解すべきである。
【０１０２】
好ましくは、該指示メッセージは、システムメッセージ又は無線リソース制御（ＲＲＣ）専用シグナリングである。
【０１０３】
Ｓ６２０、中継端末装置が該指示メッセージを受信する。
【０１０４】
Ｓ６３０、中継端末装置が該指示メッセージに基づいて遠隔端末装置のページングメッセージを監視する。
【０１０５】
Ｓ６４０、基地局が中継端末装置へ遠隔端末装置のページングメッセージを送信する。
【０１０６】
好ましくは、該基地局が該遠隔端末装置のページング時刻に該遠隔端末装置のページングメッセージを送信し、この時、該指示メッセージは該中継端末装置が該遠隔端末装置のページング時刻に該遠隔端末装置のページングメッセージを監視することを示すことに用いられてもよい。
【０１０７】
好ましくは、該基地局が該中継端末装置のページング時刻に該遠隔端末装置のページングメッセージを送信し、この時、該指示メッセージは該中継端末装置が該中継端末装置のページング時刻に該遠隔端末装置のページングメッセージを監視することを示すことに用いられてもよい。
【０１０８】
好ましくは、該遠隔端末装置のページングメッセージが該中継端末装置のページングメッセージに含まれてもよく、例えば、基地局は該中継端末装置のページングメッセージを送信するとき、該遠隔端末装置のページングメッセージを該中継端末装置のページングメッセージに持って送信してもよい。
【０１０９】
Ｓ６５０、中継端末装置が遠隔端末装置のページングメッセージを受信し、且つ遠隔端末装置のページングメッセージを遠隔端末装置に転送する。
【０１１０】
従って、本願の実施例の無線通信方法において、基地局は指示メッセージで中継端末装置が中継端末装置のページング時刻に遠隔端末装置のページングメッセージを監視し又は中継端末装置が遠隔端末装置のページング時刻に遠隔端末装置のページングメッセージを監視することを示し、それにより基地局は中継端末装置によって遠隔端末装置のページングメッセージを正確に送信することができ、遠隔端末装置のダウンリンクデータの正確な伝送を確保する。
【０１１１】
好ましくは、一実施例として、図７に示すように、該方法７００は以下を含む。
【０１１２】
Ｓ７１０、中継端末装置が基地局へ状態更新メッセージを送信する。
【０１１３】
好ましくは、該状態更新メッセージは該基地局が該中継端末装置と遠隔端末装置との間のリンク状態情報を更新するように要求することに用いられる。
【０１１４】
好ましくは、中継端末装置が遠隔端末装置とのリンク接続を確立するとき、中継端末装置が基地局装置へ該状態更新メッセージを送信する。
【０１１５】
Ｓ７２０、基地局が中継端末装置と遠隔端末装置との間のリンク状態情報を更新するかどうかを確定する。
【０１１６】
好ましくは、基地局が中継端末装置と遠隔端末装置との間のリンク状態情報の更新を拒絶してもよい。
【０１１７】
好ましくは、基地局が中継端末装置と遠隔端末装置との間のリンク状態情報を更新するとき、成功してもよいし、失敗してもよい。
【０１１８】
Ｓ７３０、基地局が中継端末装置へ応答メッセージを送信する。
【０１１９】
該応答メッセージが該状態更新メッセージに対する応答メッセージであると理解すべきである。
【０１２０】
好ましくは、該応答メッセージは該中継端末装置と該遠隔端末装置とのリンク状態情報の更新に成功した応答メッセージであってもよく、該中継端末装置と該遠隔端末装置とのリンク状態情報の更新に失敗した応答メッセージであってもよく、該中継端末装置と該遠隔端末装置とのリンク状態情報の更新を拒絶した応答メッセージであってもよい。
【０１２１】
例えば、該中継端末装置と該遠隔端末装置とのリンク状態情報の更新に成功した応答メッセージがＲＲＣ  Ｃｏｎｎｅｃｔｉｏｎ  Ｒｅｃｏｎｆｉｇｕｒａｔｉｏｎであってもよく、該中継端末装置と該遠隔端末装置とのリンク状態情報の更新に失敗した応答メッセージがＲＲＣ  Ｃｏｎｎｅｃｔｉｏｎ  Ｒｅｌｅａｓｅであってもよく、この時、該ＲＲＣ  Ｃｏｎｎｅｃｔｉｏｎ  ＲｅｌｅａｓｅにＦａｉｌｕｒｅ  Ｉｎｄｉｃａｔｉｏｎメッセージが含まれ、該中継端末装置と該遠隔端末装置とのリンク状態情報の更新を拒絶した応答メッセージがＲＲＣ  Ｃｏｎｎｅｃｔｉｏｎ  Ｒｅｊｅｃｔであってもよい。
【０１２２】
Ｓ７４０、基地局が応答メッセージに基づいて中継端末装置へ遠隔端末装置のページングメッセージを送信する。
【０１２３】
例えば、該応答メッセージが該中継端末装置と該遠隔端末装置とのリンク状態情報の更新に失敗した応答メッセージを含む場合、該基地局が該遠隔端末装置のページング時刻に該遠隔端末装置のページングメッセージを送信する。
【０１２４】
更に、例えば、該応答メッセージが該中継端末装置と該遠隔端末装置とのリンク状態情報の更新を拒絶した応答メッセージを含む場合、該基地局が該遠隔端末装置のページング時刻に該遠隔端末装置のページングメッセージを送信する。
【０１２５】
更に、例えば、該応答メッセージが該中継端末装置と該遠隔端末装置とのリンク状態情報の更新に成功した応答メッセージを含む場合、該基地局が該中継端末装置のページング時刻に該遠隔端末装置のページングメッセージを送信する。
【０１２６】
Ｓ７５０、中継端末装置が応答メッセージに基づいて遠隔端末装置のページングメッセージを監視する。
【０１２７】
例えば、該応答メッセージが該中継端末装置と該遠隔端末装置とのリンク状態情報の更新に失敗した応答メッセージを含む場合、該中継端末装置が該遠隔端末装置のページング時刻に該遠隔端末装置のページングメッセージを監視する。
【０１２８】
更に、例えば、該応答メッセージが該中継端末装置と該遠隔端末装置とのリンク状態情報の更新を拒絶した応答メッセージを含む場合、該中継端末装置が該遠隔端末装置のページング時刻に該遠隔端末装置のページングメッセージを監視する。
【０１２９】
更に、例えば、該応答メッセージが該中継端末装置と該遠隔端末装置とのリンク状態情報の更新に成功した応答メッセージを含む場合、該中継端末装置が該遠隔端末装置のページング時刻に該遠隔端末装置のページングメッセージを監視する。
【０１３０】
Ｓ７６０、遠隔端末装置のページングメッセージを受信した後、中継端末装置が遠隔端末装置のページングメッセージを遠隔端末装置に転送する。
【０１３１】
従って、本願の実施例の無線通信方法において、中継端末装置はリンク状態更新メッセージに対する応答メッセージに基づき、遠隔端末装置のページング時刻に遠隔端末装置のページングメッセージを監視し又は中継端末装置のページング時刻に遠隔端末装置のページングメッセージを監視することを確定でき、それにより中継端末装置は遠隔端末装置のページングメッセージを正確に受信することができ、遠隔端末装置のダウンリンクデータの正確な伝送を確保する。
【０１３２】
図８は本願の実施例に係るネットワーク機器８００の模式的なブロック図である。図８に示すように、該ネットワーク機器８００は、
指示メッセージを該第１端末装置に送信することに用いられ、該指示メッセージが、該第１端末装置のページング時刻に第２端末装置のページングメッセージを監視し又は該第２端末装置のページング時刻に該第２端末装置のページングメッセージを監視するように該第１端末装置に指示することに用いられ、該第２端末装置が該第１端末装置によって該ネットワーク機器と通信する送信モジュール８１０を備える。
【０１３３】
好ましくは、該送信モジュール８１０が該第１端末装置へ該指示メッセージを送信する前に、該ネットワーク機器８００は、更に、
該第１端末装置のページング時刻に該第２端末装置のページングメッセージを送信することを確定するための確定モジュール８２０を備え、
該送信モジュール８１０は、更に、該第１端末装置が該第１端末装置のページング時刻に該第２端末装置のページングメッセージを監視することを示すための該指示メッセージを該第１端末装置に送信することに用いられる。
【０１３４】
好ましくは、該送信モジュール８１０が該第１端末装置へ該指示メッセージを送信する前に、該確定モジュール８２０は、更に、該第２端末装置のページング時刻に該第２端末装置のページングメッセージを送信することを確定することに用いられ、
該送信モジュール８１０は、更に、該第１端末装置が該第２端末装置のページング時刻に該第２端末装置のページングメッセージを監視することを示すための該指示メッセージを該第１端末装置に送信することに用いられる。
【０１３５】
好ましくは、該第２端末装置のページングメッセージは、該第１端末装置のページングメッセージに搬送される。
【０１３６】
好ましくは、該指示メッセージは、システムメッセージ又は無線リソース制御（ＲＲＣ）専用シグナリングである。
【０１３７】
本願の実施例に係るネットワーク機器８００における各モジュールの上記及び他の操作及び／又は機能はそれぞれ図２における方法２００におけるネットワーク機器及び図６における方法６００における基地局の対応プロセスを実現するためのものであり、簡潔のため、ここで詳細な説明は省略すると理解すべきである。
【０１３８】
図９は本願の実施例に係るネットワーク機器９００の模式的なブロック図である。図９に示すように、該ネットワーク機器９００は、
第１端末装置から、該第１端末装置と第２端末装置とのリンク状態情報を更新するように該ネットワーク機器に要求するための状態更新メッセージを受信することに用いられ、該第２端末装置が該第１端末装置によって該ネットワーク機器と通信する受信モジュール９１０を備える。
【０１３９】
好ましくは、該ネットワーク機器９００は、更に、
該第１端末装置へ該状態更新メッセージに対する応答メッセージを送信するための送信モジュール９２０を備え、
該送信モジュール９２０は、更に、該応答メッセージに基づき、該第１端末装置のページング時刻に該第２端末装置のページングメッセージを送信し、又は該第２端末装置のページング時刻に該第２端末装置のページングメッセージを送信することに用いられる。
【０１４０】
好ましくは、該送信モジュール９２０は、更に、該第１端末装置へ該第１端末装置と該第２端末装置とのリンク状態情報の更新に成功した応答メッセージを送信することに用いられ、又は
該送信モジュール９２０は、更に、該第１端末装置へ該第１端末装置と該第２端末装置とのリンク状態情報の更新に失敗した応答メッセージを送信することに用いられ、又は
該送信モジュール９２０は、更に、該第１端末装置へ該第１端末装置と該第２端末装置とのリンク状態情報の更新を拒絶した応答メッセージを送信することに用いられる。
【０１４１】
好ましくは、該送信モジュール９２０は、更に、該応答メッセージが該第１端末装置と該第２端末装置とのリンク状態情報の更新に失敗した応答メッセージを含む場合、該第２端末装置のページング時刻に該第２端末装置のページングメッセージを送信することに用いられ、又は
該送信モジュール９２０は、更に、該応答メッセージが該第１端末装置と該第２端末装置とのリンク状態情報の更新を拒絶した応答メッセージを含む場合、該第２端末装置のページング時刻に該第２端末装置のページングメッセージを送信することに用いられ、又は
該送信モジュール９２０は、更に、該応答メッセージが該第１端末装置と該第２端末装置とのリンク状態情報の更新に成功した応答メッセージを含む場合、該第１端末装置のページング時刻に該第２端末装置のページングメッセージを送信することに用いられる。
【０１４２】
好ましくは、該第１端末装置と該第２端末装置とのリンク状態情報の更新に失敗した該応答メッセージが無線リソース制御（ＲＲＣ）接続解放メッセージであり、該ＲＲＣ接続解放メッセージが接続失敗指示メッセージを含み、該第１端末装置と該第２端末装置とのリンク状態情報の更新を拒絶した該応答メッセージがＲＲＣ接続拒絶メッセージであり、該第１端末装置と該第２端末装置とのリンク状態情報の更新に成功した該応答メッセージがＲＲＣ接続構成メッセージである。
【０１４３】
本願の実施例に係るネットワーク機器９００における各モジュールの上記及び他の操作及び／又は機能はそれぞれ図３における方法３００におけるネットワーク機器及び図７における方法７００における基地局の対応プロセスを実現するためのものであり、簡潔のため、ここで詳細な説明は省略すると理解すべきである。
【０１４４】
図１０は本願の実施例に係る端末装置１０００の模式的なブロック図である。図１０に示すように、該端末装置１０００は、
ネットワーク機器から指示メッセージを受信することに用いられ、該指示メッセージが、該第１端末装置のページング時刻に第２端末装置のページングメッセージを監視し又は該第２端末装置のページング時刻に該第２端末装置のページングメッセージを監視するように該第１端末装置に指示することに用いられ、該第２端末装置が該第１端末装置によって該ネットワーク機器と通信する受信モジュール１０１０を備え、
該受信モジュール１０１０は、更に、該指示メッセージに基づいて該第２端末装置のページングメッセージを監視することに用いられる。
【０１４５】
好ましくは、該端末装置１０００は、更に、
該受信モジュールが該第２端末装置のページングメッセージを検知した後、該第２端末装置へ該第２端末装置のページングメッセージを送信するための送信モジュール１０１０を備える。
【０１４６】
好ましくは、該第２端末装置のページングメッセージは、該第１端末装置のページングメッセージに搬送される。
【０１４７】
好ましくは、該指示メッセージは、システムメッセージ又は無線リソース制御（ＲＲＣ）専用シグナリングである。
【０１４８】
本願の実施例に係る端末装置１０００における各モジュールの上記及び他の操作及び／又は機能はそれぞれ図４における方法４００における第１端末装置及び図６における方法６００における中継端末装置の対応プロセスを実現するためのものであり、簡潔のため、ここで詳細な説明は省略すると理解すべきである。
【０１４９】
図１１は本願の実施例に係る端末装置１１００の模式的なブロック図である。図１１に示すように、該端末装置１１００は、
該第１端末装置と第２端末装置とのリンク状態情報を更新するための状態更新メッセージをネットワーク機器に送信することに用いられ、該第２端末装置が該第１端末装置によって該ネットワーク機器と通信する送信モジュール１１１０を備える。
【０１５０】
好ましくは、該端末装置１１００は、更に、
該ネットワーク機器から該状態更新メッセージに対する応答メッセージを受信するための受信モジュール１１２０を備え、
該受信モジュール１１２０は、更に、該応答メッセージに基づき、該第２端末装置のページング時刻に該第２端末装置のページングメッセージを監視し、又は該第１端末装置のページング時刻に該第２端末装置のページングメッセージを監視することに用いられる。
【０１５１】
好ましくは、該受信モジュール１１２０は、更に、該応答メッセージがＲＲＣ接続解放メッセージを含み、且つ該ＲＲＣ接続解放メッセージが接続失敗指示メッセージを含む場合、該第２端末装置のページング時刻に該第２端末装置のページングメッセージを監視することに用いられ、又は
該受信モジュール１１２０は、更に、該応答メッセージがＲＲＣ接続拒絶メッセージを含む場合、該第２端末装置のページング時刻に該第２端末装置のページングメッセージを監視することに用いられ、又は
該受信モジュール１１２０は、更に、該応答メッセージがＲＲＣ接続構成メッセージを含む場合、該第１端末装置のページング時刻に該第２端末装置のページングメッセージを監視することに用いられる。
【０１５２】
好ましくは、該応答メッセージが該ＲＲＣ接続解放メッセージ又は該ＲＲＣ接続拒絶メッセージを含む場合、該端末装置１１００は、更に、
該第１端末装置と該第２端末装置とのリンク接続が中断される場合、再び該ネットワーク機器へ該状態更新メッセージを送信する必要がないことを確定するための確定モジュール１１３０を備える。
【０１５３】
好ましくは、該送信モジュール１１１０は、更に、該第２端末装置のページングメッセージを検知した後、該第２端末装置へ該第２端末装置のページングメッセージを送信することに用いられる。
【０１５４】
本願の実施例に係る端末装置１１００における各モジュールの上記及び他の操作及び／又は機能はそれぞれ図５における方法５００における第１端末装置及び図７における方法７００における中継端末装置の対応プロセスを実現するためのものであり、簡潔のため、ここで詳細な説明は省略すると理解すべきである。
【０１５５】
図１２は本願の実施例に係る通信装置１２００の模式的なブロック図であり、該通信装置１２００は、
コードを含むプログラムを記憶するためのメモリ１２１０と、
他の装置と通信するための送受信機１２２０と、
メモリ１２１０におけるプログラムコードを実行するためのプロセッサ１２３０と、を備える。
【０１５６】
好ましくは、該コードが実行されるとき、該プロセッサ１２３０は図２における方法２００及び図３における方法３００におけるネットワーク機器、並びに図６における方法６００及び図７における方法７００における基地局が実行する各操作を実現することができ、簡潔のため、ここで詳細な説明は省略する。この時、通信装置１２００はアクセスネットワーク機器であってもよいし、コアネットワーク機器であってもよい。送受信機１２２０はプロセッサ１２３０の駆動によって具体的な信号送受信を実行することに用いられる。
【０１５７】
好ましくは、該コードが実行されるとき、該プロセッサ１２３０は更に図４における方法４００及び図５における方法５００における第１端末装置、並びに図６における方法６００又は図７における方法７００における中継端末装置が実行する各操作を実現することができ、簡潔のため、ここで詳細な説明は省略する。この時、通信装置１２００は中継端末装置、例えば携帯電話であってもよい。
【０１５８】
本願の実施例において、該プロセッサ１２３０は中央処理装置（ＣＰＵ：Ｃｅｎｔｒａｌ  Ｐｒｏｃｅｓｓｉｎｇ  Ｕｎｉｔ）であってもよく、該プロセッサ１２３０は更に他の汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよいと理解すべきである。汎用プロセッサはマイクロプロセッサであってもよく、又は該プロセッサは更にいかなる通常のプロセッサ等であってもよい。
【０１５９】
該メモリ１２１０は読み出し専用メモリ及びランダムアクセスメモリを含んでもよく、且つプロセッサ１２３０に命令及びデータを提供する。メモリ１２１０の一部は更に不揮発性ランダムアクセスメモリを含んでもよい。例えば、メモリ１２１０に更に装置タイプ情報が記憶されてもよい。
【０１６０】
送受信機１２２０は信号送信及び受信機能、例えばアップコンバージョン及びダウンコンバージョン機能とも称される周波数変調及び復調機能を実現するためのものであってもよい。
【０１６１】
実現過程において、上記方法の少なくとも１つのステップはプロセッサ１２３０におけるハードウェアの集積論理回路で完了してもよく、又は該集積論理回路はソフトウェア形式の命令で駆動して該少なくとも１つのステップを完了することができる。従って、通信装置１２００はチップ又はチップセットであってもよい。本願の実施例に開示される方法のステップはハードウェアプロセッサで実行して完了し、又はプロセッサにおけるハードウェア及びソフトウェアモジュールの組み合わせで実行して完了すると直接具現されてもよい。ソフトウェアモジュールがランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体がメモリに位置し、プロセッサ１２３０がメモリにおける情報を読み取り、そのハードウェアと組み合わせて上記方法のステップを完了する。重複を避けるため、ここで詳細な説明は省略する。
【０１６２】
上記実施例において、ソフトウェア、ハードウェア、ファームウェア又はその任意の組み合わせで全体的又は部分的に実現されてもよい。ソフトウェアで実現するとき、コンピュータプログラム製品の形式で全体的又は部分的に実現されてもよい。該コンピュータプログラム製品は１つ又は複数のコンピュータ命令を含む。コンピュータに該コンピュータプログラム命令をロード及び実行するとき、本発明の実施例に基づくプロセス又は機能を全体的又は部分的に生成する。該コンピュータは汎用コンピュータ、専用コンピュータ、コンピュータネットワーク、又は他のプログラム可能装置であってもよい。該コンピュータ命令がコンピュータ可読記憶媒体に記憶されてもよく、又は１つのコンピュータ可読記憶媒体から他のコンピュータ可読記憶媒体へ伝送されてもよく、例えば、該コンピュータ命令は１つのウェブサイト、コンピュータ、サーバ又はデータセンターから有線（例えば、同軸ケーブル、光ファイバー、デジタル加入者線（ＤＳＬ））又は無線（例えば、赤外線、無線、マイクロ波等）方式で他のウェブサイト、コンピュータ、サーバ又はデータセンターへ伝送されてもよい。該コンピュータ可読記憶媒体はコンピュータにアクセスできる任意の利用可能媒体、又は、１つ又は複数の利用可能媒体を統合したサーバ、データセンター等のデータ記憶装置であってもよい。該利用可能媒体は磁気媒体（例えば、フロッピーディスク、ハードディスク、磁気テープ）、光媒体（例えば、ＤＶＤ）、又は半導体媒体（例えば、ソリッドステートドライブＳｏｌｉｄ  Ｓｔａｔｅ  Ｄｉｓｋ（ＳＳＤ））等であってもよい。
【０１６３】
本願の様々な実施例において、上記各過程の番号の順位は実行順序の前後を意味せず、各過程の実行順序はその機能及び内部論理によって確定されるべきであり、本願の実施例の実施過程を制限するためのものではないと理解すべきである。
【０１６４】
当業者であれば、説明を容易且つ簡単にするために、上記説明されるシステム、装置及びユニットの具体的な動作過程は、上記方法実施例における対応過程を参照してもよく、ここで詳細な説明は省略すると明確に理解される。
【０１６５】
以上の説明は本願の具体的な実施形態であって、本願の保護範囲を制限するためのものではなく、当業者が本願に開示される技術的範囲内に容易に想到し得る変更や置換は、いずれも本願の保護範囲内に含まれるべきである。従って、本願の保護範囲は特許請求の範囲に準じるべきである。
【図１】
2020518183.tif 000003
【図２】
2020518183.tif 000004
【図３】
2020518183.tif 000005
【図４】
2020518183.tif 000006
【図５】
2020518183.tif 000007
【図６】
2020518183.tif 000008
【図７】
2020518183.tif 000009
【図８】
2020518183.tif 000010
【図９】
2020518183.tif 000011
【図１０】
2020518183.tif 000012
【図１１】
2020518183.tif 000013
【図１２】
2020518183.tif 000014
【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
無線通信方法であって、
第１端末装置はネットワーク機器から指示メッセージを受信し、前記指示メッセージが、第２端末装置のページング時刻に前記第２端末装置のページングメッセージを監視し又は前記第１端末装置のページング時刻に前記第２端末装置のページングメッセージを監視するように前記第１端末装置に指示することに用いられ、前記第２端末装置が前記第１端末装置によって前記ネットワーク機器と通信することと、
前記第１端末装置は、前記指示メッセージに基づいて前記第２端末装置のページングメッセージを監視することと、を含むことを特徴とする、前記無線通信方法。
【請求項２】
前記方法は、更に、
前記第２端末装置のページングメッセージを検知した後、前記第１端末装置は、前記第２端末装置へ前記第２端末装置のページングメッセージを送信することを含むことを特徴とする
請求項１に記載の方法。
【請求項３】
前記第２端末装置のページングメッセージは、前記第１端末装置のページングメッセージに搬送され、
前記指示メッセージは、システムメッセージ又は無線リソース制御（ＲＲＣ）専用シグナリングであることを特徴とする
請求項１又は２に記載の方法。
【請求項４】
前記第１端末装置は、前記第１端末装置と第２端末装置とのリンク状態情報を更新するための状態更新メッセージを前記ネットワーク機器に送信することをさらに含むことを特徴とする、請求項１に記載の方法。
【請求項５】
前記方法は、更に、
前記第１端末装置が前記ネットワーク機器から前記状態更新メッセージに対する応答メッセージを受信することと、
前記第１端末装置は、前記応答メッセージに基づき、前記第２端末装置のページング時刻に前記第２端末装置のページングメッセージを監視し、又は前記第１端末装置のページング時刻に前記第２端末装置のページングメッセージを監視することと、を含むことを特徴とする
請求項４に記載の方法。
【請求項６】
前記第１端末装置が前記応答メッセージに基づき、前記第２端末装置のページング時刻に前記第２端末装置のページングメッセージを監視し、又は前記第１端末装置のページング時刻に前記第２端末装置のページングメッセージを監視することは、
前記応答メッセージがＲＲＣ接続解放メッセージを含み、且つ前記ＲＲＣ接続解放メッセージが接続失敗指示メッセージを含む場合、前記第１端末装置は、前記第２端末装置のページング時刻に前記第２端末装置のページングメッセージを監視し、又は
前記応答メッセージがＲＲＣ接続拒絶メッセージを含む場合、前記第１端末装置は、前記第２端末装置のページング時刻に前記第２端末装置のページングメッセージを監視し、又は
前記応答メッセージがＲＲＣ接続再構成メッセージを含む場合、前記第１端末装置は、前記第１端末装置のページング時刻に前記第２端末装置のページングメッセージを監視することを含むことを特徴とする
請求項５に記載の方法。
【請求項７】
前記応答メッセージが前記ＲＲＣ接続解放メッセージ又は前記ＲＲＣ接続拒絶メッセージを含む場合、前記方法は、更に、
前記第１端末装置と前記第２端末装置とのリンク接続が中断される場合、前記第１端末装置は、再び前記ネットワーク機器へ前記状態更新メッセージを送信する必要がないことを確定することを含むことを特徴とする
請求項６に記載の方法。
【請求項８】
端末装置であって、
ネットワーク機器から指示メッセージを受信することに用いられ、前記指示メッセージが、第２端末装置のページング時刻に前記第２端末装置のページングメッセージを監視し又は前記第１端末装置のページング時刻に前記第２端末装置のページングメッセージを監視するように前記第１端末装置に指示することに用いられ、前記第２端末装置が前記第１端末装置によって前記ネットワーク機器と通信する受信モジュールを備え、
前記受信モジュールは、更に、前記指示メッセージに基づいて前記第２端末装置のページングメッセージを監視することに用いられることを特徴とする、前記端末装置。
【請求項９】
前記端末装置は、更に、
前記受信モジュールが前記第２端末装置のページングメッセージを検知した後、前記第２端末装置へ前記第２端末装置のページングメッセージを送信するための送信モジュールを備えることを特徴とする
請求項８に記載の端末装置。
【請求項１０】
前記第２端末装置のページングメッセージは、前記第１端末装置のページングメッセージに搬送され、
前記指示メッセージは、システムメッセージ又は無線リソース制御（ＲＲＣ）専用シグナリングであることを特徴とする
請求項８又は９に記載の端末装置。
【請求項１１】
前記第１端末装置と第２端末装置とのリンク状態情報を更新するための状態更新メッセージを前記ネットワーク機器に送信することに用いられる送信モジュールをさらに備えることを特徴とする、請求項８に記載の端末装置。
【請求項１２】
前記端末装置は、更に、
前記ネットワーク機器から前記状態更新メッセージに対する応答メッセージを受信するための受信モジュールを備え、
前記受信モジュールは、更に、前記応答メッセージに基づき、前記第２端末装置のページング時刻に前記第２端末装置のページングメッセージを監視し、又は前記第１端末装置のページング時刻に前記第２端末装置のページングメッセージを監視することに用いられることを特徴とする
請求項１１に記載の端末装置。
【請求項１３】
前記受信モジュールは、更に、前記応答メッセージがＲＲＣ接続解放メッセージを含み、且つ前記ＲＲＣ接続解放メッセージが接続失敗指示メッセージを含む場合、前記第２端末装置のページング時刻に前記第２端末装置のページングメッセージを監視することに用いられ、又は
前記受信モジュールは、更に、前記応答メッセージがＲＲＣ接続拒絶メッセージを含む場合、前記第２端末装置のページング時刻に前記第２端末装置のページングメッセージを監視することに用いられ、又は
前記受信モジュールは、更に、前記応答メッセージがＲＲＣ接続再構成メッセージを含む場合、前記第１端末装置のページング時刻に前記第２端末装置のページングメッセージを監視することに用いられることを特徴とする
請求項１２に記載の端末装置。
【請求項１４】
前記応答メッセージが前記ＲＲＣ接続解放メッセージ又は前記ＲＲＣ接続拒絶メッセージを含む場合、前記端末装置は、更に、
前記第１端末装置と前記第２端末装置とのリンク接続が中断される場合、再び前記ネットワーク機器へ前記状態更新メッセージを送信する必要がないことを確定するための確定モジュールを備えることを特徴とする
請求項１３に記載の端末装置。
【請求項１５】
端末装置であって、メモリ、送受信機、及びプロセッサを含み、
前記メモリが、プログラムを記憶するように構成され、
前記プロセッサが、前記メモリに記憶されるプログラムを実行し、前記送受信機によって、請求項１〜７のいずれか１項に記載の方法を実現するように構成される、
ことを特徴とする端末装置。
【国際調査報告】
2020518183.tif 000015
2020518183.tif 000016
2020518183.tif 000017
2020518183.tif 000018
2020518183.tif 000019
2020518183.tif 000020
2020518183.tif 000021
2020518183.tif 000022